(57)【要約】【課題】広告メールに掲載される広告の広告効果を考慮し，広告メールの送信を広告主毎に管理する広告メール管理装置を提供する。【解決手段】広告メール管理装置１に備えられた広告メール管理手段１００は，広告メールに掲載される広告主をユーザ２ａが選択した選択情報を携帯電話２から取得し，選択情報に含まれる広告主の数を考慮して，ユーザ２ａに対する広告主の負担金を算出し，負担金の合計値が月額広告予算費を超えない場合，該ユーザの広告メールへ該広告主の広告データを掲載することを許可する。【選択図】図３
2010176468.tif 000002
【特許請求の範囲】
【請求項１】
ユーザへの広告メールの送信を管理する広告メール管理装置であって，前記広告メールの送信を希望するユーザが所持する端末装置から，前記広告メールに広告データを掲載する広告主の選択情報を取得し，前記広告メール１通当たりに設定されているメール広告金額を前記選択情報に含まれる広告主の数で除算することで，該ユーザに対する負担額を算出した後，該広告主毎に，該広告主の広告データを掲載する広告メールを送信するユーザに対する負担額の合計値を演算し，前記選択情報に含まれる広告主すべてについて，前記負担額の合計値が前記広告予算費を超えていない場合のみ，該広告主の広告データを該ユーザの前記広告メールに掲載する処理を実行する広告メール管理手段を備えていることを特徴とする広告メール管理装置。
【請求項２】
請求項１に記載の広告メール管理装置であって，前記広告メール管理手段は，前記選択情報に含まれる広告主の負担額を算出するとき，該広告主の数が所定数以下の場合，前記広告メールに掲載する広告主の数で除算することなく，予め定められた金額を該広告主の負担額として利用することを特徴とする広告メール管理装置。
【請求項３】
請求項２に記載の広告メール管理装置であって，前記広告メール管理手段は，広告主の広告データをユーザの前記広告メールに掲載する処理を実行するとき，前記選択情報を取得した前記端末装置のメールアドレスを該ユーザに関連付けて記憶し，前記広告メール管理装置には，広告主毎に広告主の広告データを記憶した広告データベースと，該ユーザが選択した広告主の広告データを前記広告データベースから検索し，検索した広告データを掲載した前記広告メールを該ユーザに関連付けられたメールアドレスに対して送信する広告メール送信手段を備えていることを特徴とする広告メール管理装置。
【請求項４】
請求項３に記載の広告メール管理装置であって，前記広告メール送信手段は，前記広告メールを送信するユーザのユーザ属性に適合する広告データを前記広告データベースから検索することを特徴とする広告メール管理装置。
【請求項５】
請求項４に記載の広告メール管理装置であって，前記広告メール送信手段は，広告メールを送信するユーザが利用しているWebサービスが運営されているＷｅｂサーバから前記ユーザ属性を取得することを特徴とする広告メール管理装置。
【請求項６】
請求項１から請求項６に記載の広告メール管理装置であって，前記広告メール管理手段は，前記負担額の合計値が前記広告予算費を超えている広告主がある場合，該広告主に対して広告予算費の上積みを要求し，該広告主の広告予算費の上積みが許可されたときは，前記選択情報に含まれる広告主の広告データを該ユーザの前記広告メールに掲載する処理を実行することを特徴とする広告メール管理装置。
【請求項７】
ユーザへの広告メールの送信を管理する広告メール管理方法であって，前記広告メールの送信を管理する装置が，前記広告メールの送信を希望するユーザが所持する端末装置から，前記広告メールに掲載する広告データの広告主の選択情報を取得するステップ，前記装置が，前記広告メール１通当たりに設定されているメール広告金額を前記選択情報に含まれる広告主の数で除算することで，該ユーザに対する負担額を算出した後，該広告主毎に，該広告主の広告データを掲載する広告メールを送信するユーザに対する負担額の合計値を演算し，前記選択情報に含まれる広告主すべてについて，前記負担額の合計値が前記広告予算費を超えていない場合のみ，該広告主の広告データを該ユーザの前記広告メールに掲載する処理を実行するステップ，が実行されることを特徴とする広告メール管理方法。
【発明の詳細な説明】
【技術分野】
【０００１】
本発明は，広告メールに掲載される広告の広告効果を考慮し，ユーザに送信可能な広告メールの送信数を広告主毎に管理するための技術に関する。
【背景技術】
【０００２】
近年，ユーザの属性に適合した広告が記載された電子メール（以下，広告メール）を，ターゲット市場に配信するターゲティング広告が注目を浴びている。
【０００３】
例えば，携帯電話会社では，携帯電話のユーザをターゲット市場とし，広告メールの配信を希望するユーザの中から，携帯電話を申し込みしたときのユーザ属性などを利用して，広告主が設定した広告配信条件（例えば，２０才から３０才までの女性）に適合するユーザを特定し，特定したユーザが所持する携帯電話に対して，所定の時間（例えば，昼休み前）に該広告主の広告（例えば，飲料水の広告）が掲載された広告メールを配信することが行われている。
【０００４】
インターネットのウェブページにバナー広告を掲載する場合と同様に，電子メールで広告を配信した広告費は，特許文献１で開示されている発明のように，広告を掲載した電子メールの送信数（宛先数）に応じて広告費を算出することがあるが，ターゲティング広告において，広告メールの送信数に応じて広告費を算出してしまうと，広告メールの送信数が大幅に広告主の想定数を上回る場合，広告主側で設定した予算を大幅に超えた広告費が発生してしまう可能性がある。
【０００５】
広告主側で設定した予算を大幅に超えないように広告メールの送信数を管理することは，広告主側で設定した予算を広告メール１通当たりの広告金額で除算し，該予算内で送信できる広告メールの数を算出すれば容易に実現できるが，１社ではなく複数の広告主の広告を１通の広告メールに掲載する場合，１社の広告主の広告のみを１通の広告メールに掲載するよりも広告効果は薄れるため，広告効果を考慮して，ユーザに送信する広告メールの送信数を広告主毎に管理できることが望ましい。
【０００６】
【特許文献１】特開２００２−１４０２７２号公報
【発明の開示】
【発明が解決しようとする課題】
【０００７】
そこで，本発明は，広告メールに掲載される広告の広告効果を考慮し，広告メールの送信を広告主毎に管理する広告メール管理装置及び方法を提供することを目的とする。
【課題を解決するための手段】
【０００８】
上述した課題を解決する第１の発明は，ユーザへの広告メールの送信を管理する広告メール管理装置であって，前記広告メールの送信を希望するユーザが所持する端末装置から，前記広告メールに広告データを掲載する広告主の選択情報を取得し，前記広告メール１通当たりに設定されているメール広告金額を前記選択情報に含まれる広告主の数で除算することで，該ユーザに対する負担額を算出した後，該広告主毎に，該広告主の広告データを掲載する広告メールを送信するユーザに対する負担額の合計値を演算し，前記選択情報に含まれる広告主すべてについて，前記負担額の合計値が前記広告予算費を超えていない場合のみ，該広告主の広告データを該ユーザの前記広告メールに掲載する処理を実行する広告メール管理手段を備えていることを特徴とする広告メール管理装置である。
【０００９】
更に，第２の発明は，第１の発明に記載の広告メール管理装置であって，前記広告メール管理手段は，前記選択情報に含まれる広告主の負担額を算出するとき，該広告主の数が所定数以下の場合，前記広告メールに掲載する広告主の数で除算することなく，予め定められた金額を該広告主の負担額として利用することを特徴とする広告メール管理装置である。
【００１０】
更に，第３の発明は，第２の発明に記載の広告メール管理装置であって，前記広告メール管理手段は，広告主の広告データをユーザの前記広告メールに掲載する処理を実行するとき，前記選択情報を取得した前記端末装置のメールアドレスを該ユーザに関連付けて記憶し，前記広告メール管理装置には，広告主毎に広告主の広告データを記憶した広告データベースと，該ユーザが選択した広告主の広告データを前記広告データベースから検索し，検索した広告データを掲載した前記広告メールを該ユーザに関連付けられたメールアドレスに対して送信する広告メール送信手段を備えていることを特徴とする広告メール管理装置である。
【００１１】
更に，第４の発明は，第３の発明に記載の広告メール管理装置であって，前記広告メール送信手段は，前記広告メールを送信するユーザのユーザ属性に適合する広告データを前記広告データベースから検索することを特徴とする広告メール管理装置である。
【００１２】
更に，第５の発明は，第４の発明に記載の広告メール管理装置であって，前記広告メール送信手段は，広告メールを送信するユーザが利用しているWebサービスが運営されているＷｅｂサーバから前記ユーザ属性を取得することを特徴とする広告メール管理装置である。
【００１３】
更に，第６の発明は，第１の発明から第６の発明に記載の広告メール管理装置であって，前記広告メール管理手段は，前記負担額の合計値が前記広告予算費を超えている広告主がある場合，該広告主に対して広告予算費の上積みを要求し，該広告主の広告予算費の上積みが許可されたときは，前記選択情報に含まれる広告主の広告データを該ユーザの前記広告メールに掲載する処理を実行することを特徴とする広告メール管理装置である。
【００１４】
前記広告メール１通当たりに設定されているメール広告金額を前記選択情報に含まれる広告主の数で除算した値は，前記広告メールに掲載される広告の広告効果を意味するため，第１の発明の広告メール管理装置が，前記負担額の合計値が前記広告予算費を超えていない場合のみ，該広告主の広告データを該ユーザの前記広告メールに掲載する処理を実行する広告メール管理手段を備えることで，広告メールに掲載される広告の広告効果を考慮し，広告メールの送信を広告主毎に管理することが可能になる。
【００１５】
更に，１通の前記広告メールに掲載する広告データが少ない場合（例えば，２社の広告データ），広告データの広告効果は落ちることがないと考えられるため，第２の発明の広告メール管理装置のように，前記選択情報に含まれる広告主の数が所定数以下の場合，前記広告メールに掲載する広告主の数で除算することなく，予め定められた金額を該広告主の負担額として利用するとよい。
【００１６】
更に，第３の発明のように，広告メール管理装置に広告メール送信手段を備えさせることで，前記広告メールの送信を希望したユーザに対して，該ユーザが選択した広告主の広告データが掲載された広告メールを送信できるようになる。
【００１７】
更に，第４の発明のように，ユーザが選択した広告主の広告データをユーザ属性に基づき選択された広告データとすることで，広告データの広告効果を高めることができ，第５の発明のようにユーザ属性は，該ユーザが利用しているＷｅｂサービスから得ることが好適である。
【００１８】
更に，第６の発明のように，前記負担額の合計値が前記広告予算費を超えている広告主がある場合，該広告主に対して広告予算費の上積みを要求することで，広告予算費を超えている広告主がある場合にも該広告主の広告データを前記広告メールに掲載することができるようになるため，広告主及びユーザに対して利便性を向上させることができる。
【００１９】
更に，第７の発明は，ユーザへの広告メールの送信を管理する広告メール管理方法であって，前記広告メールの送信を管理する装置が，前記広告メールの送信を希望するユーザが所持する端末装置から，前記広告メールに掲載する広告データの広告主の選択情報を取得するステップ，前記装置が，前記広告メール１通当たりに設定されているメール広告金額を前記選択情報に含まれる広告主の数で除算することで，該ユーザに対する負担額を算出した後，該広告主毎に，該広告主の広告データを掲載する広告メールを送信するユーザに対する負担額の合計値を演算し，前記選択情報に含まれる広告主すべてについて，前記負担額の合計値が前記広告予算費を超えていない場合のみ，該広告主の広告データを該ユーザの前記広告メールに掲載する処理を実行するステップ，が実行されることを特徴とする広告メール管理方法である。
【００２０】
第７の発明は，本発明の方法に係わる発明である。
【発明の効果】
【００２１】
このように，上述した本発明によれば，広告メールに掲載される広告の広告効果を考慮し，広告メールの送信を広告主毎に管理する広告メール管理装置及び方法を提供できる。
【発明を実施するための最良の形態】
【００２２】
ここから，本発明の好適な実施形態について，図を参照しながら詳細に説明する。図１は，本発明に係わる広告メール管理装置１が配置されたシステムの構成を示した図である。
【００２３】
図１で図示したシステムには，広告メールが送信される携帯電話２と，携帯電話２に対して広告メールを送信する広告メール管理装置１と，携帯電話２を所持するユーザ２ａが利用しているＷｅｂサービスを運営しているＷｅｂサーバ３とから構成され，携帯電話２，広告メール管理装置１及びＷｅｂサーバ３は，無線公衆回線網を含むインターネット４を介して接続されている。
【００２４】
本実施形態において，Ｗｅｂサーバ３では，Ｗｅｂサービスとして，ユーザ２ａが摂った食事の栄養バランスをユーザ２ａ毎に分析し，栄養バランスに基づく食事メニューを提示する栄養管理サービスが運営され，広告メール管理装置１は，該栄養管理サービスを利用しているユーザ２ａが所持する携帯電話２へ，該ユーザ２ａの食事情報から検索される外食産業の食事メニューの広告データを記載した広告メールを配信する機能を備える。
【００２５】
Ｗｅｂサーバ３で運営されている栄養管理サービスを利用するための費用の一部或いは全ては，該広告メールに記載される広告データの広告主（ここでは，外食産業）によって賄われている。該広告メールに記載される広告データの広告主によって，栄養管理サービスの費用を賄うとき，広告主の広告データが掲載された広告メールの送信数に応じて広告費を算出すると，広告主の広告データが掲載された広告メールの送信数が想定数よりも多くなった場合，該広告主の設定した広告予算費を実際の広告費が超えてしまうケースがある。
【００２６】
そこで，上述した問題を解決するために，広告メール管理装置１は，広告メールに広告データを掲載する広告主をユーザ２ａが選択した選択情報を携帯電話２から取得し，選択情報に含まれる広告主の数を考慮して，ユーザ２ａに対する広告主の負担金を算出した後，該広告主毎に，該広告主の広告データを掲載する広告メールを送信するユーザに対する負担額の合計値を演算し，選択情報に含まれる広告主すべてについて，該負担額の合計値が該広告予算費を超えていない場合のみ，該広告主の広告データを該ユーザの広告メールに掲載する処理を実行し，広告メールの送信を管理する機能を備えている。
【００２７】
図２は広告メール管理装置１のハードウェアブロック図，図３は広告メール管理装置１の機能ブロック図である。図２に図示したように，広告メール管理装置１は，ハードウェアとして，ＣＰＵ１０ａ（Central Processing Unit），ＲＡＭ１０ｂ（Random Access Memory）及びＲＯＭ１０ｃ（Read-Only Memory）などから構成される制御ボード１０と，大容量のデータ記憶装置であるハードディスク１１と，文字や画像などを表示するディスプレイ１２と，入力デバイスであるキーボード１３と，ポインティングデバイスであるマウス１４と，ネットワーク通信するためのネットワークインターフェース１５を備えている。
【００２８】
また，図３に図示したように，広告メール管理装置１は，広告メールの送信を管理・配信する機能として，広告メールの送信数を管理する広告メール管理手段１００と，広告メールを送信する広告メール送信手段１０１を備え，図２で図示したハードウェアを利用し，広告メール管理手段１００及び広告メール送信手段１０１として広告メール管理装置１を機能させるコンピュータプログラムが広告メール管理装置１のハードディスクに記憶されている。
【００２９】
更に，広告メール管理手段１００及び広告メール送信手段１０１が利用するデータベース（DB: Data Base）として，ユーザ２ａ毎に，ユーザ２ａのユーザＩＤに関連付けて，ユーザ２ａが所持する携帯電話２のメールアドレスと，該ユーザ２ａが設定した広告主の広告主ＩＤなどを記憶するユーザＤＢ１０２と，広告主毎に，広告主のＩＤに関連付けて，広告主の月額広告予算費や負担金の合計値を記憶する広告予算費ＤＢ１０３と，広告主毎に，広告主のＩＤに関連付けて，広告主の広告データを記憶する広告ＤＢ１０４を備え，これらのＤＢは広告メール管理装置１のハードディスク１１に記憶されている。
【００３０】
図４は，広告メール管理装置１が広告メールの送信を管理する手順を説明するフロー図で，広告メール管理装置１に備えられた広告メール管理手段１００は，図３で図示した手順に従い，広告メールの送信を管理する手段である。
【００３１】
図４を参照しながら，広告メール管理手段１００の動作について説明する。Ｗｅｂサーバ３で運営されている栄養管理サービスの利用しているユーザ２ａが広告メールの配信を希望するとき，該ユーザ２ａは，携帯電話２のブラウザを操作し，Ｗｅｂサーバ３を経由して広告メール管理装置１のアドレスにアクセスすると，Ｗｅｂサーバ３から該ユーザ２ａのユーザＩＤ（例えば，栄養管理サービスにおけるユーザネーム）と携帯電話２のメールアドレスが広告メール管理装置１に受け渡されて，広告メール管理装置１の広告メール管理手段１００が作動する（Ｓ１）。
【００３２】
広告メール管理装置１の広告メール管理手段１００は作動すると，広告メールに広告データを掲載する広告主を選択するＷｅｂページを広告メール管理装置１にアクセスした携帯電話２に送信し，広告メール管理装置１に登録されている広告主の中から，該ユーザ２ａの広告メールに広告データを掲載する広告主をユーザ２ａに選択させ，広告主の選択結果を示す選択情報を携帯電話２から受信する（Ｓ２）。
【００３３】
図６は，広告メール管理手段１００が携帯電話２に送信するＷｅｂページの一例で，Ｗｅｂページ５には，広告メール管理装置１に登録されている広告主（ここでは，６社）の中から，ユーザ２ａに広告主を選択させるための６個のインプット要素５ａ（ここでは，チェックボックス）と，広告主の選択結果を広告メール管理手段１００に送信するときに利用されるボタン要素５ｂが含まれ，それぞれのインプット要素５ａには，インプット要素５ａに対応する広告主の名称のテキスト（例えば，「A社（和食）」）と広告主の広告主ＩＤ（例えば，「A」）が含まれ，図６では，広告主として，Ａ社とＤ社が選択されている。
【００３４】
図６で図示したＷｅｂページを利用してユーザ２ａが広告主を選択し，選択した情報を広告メール管理手段１００に送信する処理（例えば，図６のボタン要素５ｂのクリック）を該ユーザ２ａが実行すると，該広告メールに掲載する広告データの広告主の広告主ＩＤが含まれる選択情報が携帯電話２から広告メール管理装置１に少なくとも送信され，広告メール管理装置１の広告メール管理手段１００は，ユーザ２ａが選択した広告主の広告主ＩＤが含まれる選択情報を取得する。
【００３５】
広告メール管理装置１の広告メール管理手段１００は，ユーザ２ａが選択した広告主が示される選択情報を携帯電話２から取得すると，広告メール１通当たりに設定されているメール広告金額を選択情報に含まれる広告主の数で除算することで，該ユーザ２ａに対する該広告主の負担金を算出する（Ｓ３）。
【００３６】
なお，広告メール管理装置１の広告メール管理手段１００は，該ユーザ２ａに対する広告主の負担金を算出するとき，前記選択情報に含まれる広告主の数が所定数以下の場合，メール広告金額を選択情報に含まれる広告主の数で除算することなく，定められた金額を負担額として利用することが望ましい。
【００３７】
広告メール管理装置１は，ユーザ２ａが選択した広告主１社当たりの企業負担額を算出すると，広告予算費ＤＢ１０３を参照し，選択情報で示される広告主毎に，該広告主の広告データを掲載する広告メールを送信するユーザに対する負担額の合計値を演算し，該負担額の合計値が該広告主の月額広告予算費を超えているか確認することで，S３で算出した負担額を広告主が負担すると，広告主の月額広告予算費を超えてしまうか確認する（Ｓ４）。
【００３８】
図７は，広告予算費ＤＢ１０３のレコードを説明する図で，図７で図示したレコード６ａは，広告メール管理装置１に登録された広告主の数だけ設けられ，レコード６ａには，レコード６ａに対応する広告主の広告主ＩＤを記憶するカラム，広告主ＩＤで特定される広告主の月額広告予算費を記憶するカラム，月額広告予算費の利用額を記憶するカラムが設けられている。ここで，月額広告予算費の利用額とは，この時点までに，広告主の広告データを掲載する広告メールの送信が決定しているユーザに対する負担額の合計値である。
【００３９】
広告メール管理手段１００は，選択情報で示される広告主毎に，該広告主の広告データを掲載する広告メールを送信するユーザに対する負担額の合計値が該広告主の月額広告予算費を超えているか確認するとき，選択情報に含まれる広告主ＩＤが記憶されているレコード６ａの月額広告予算費の利用額にＳ３で算出した負担額を加算することで，広告主の広告データを掲載する広告メールを送信するユーザに対する負担額の合計値を求め，該レコード６ａの月額広告予算費を該負担額の合計値が超えているか確認する。
【００４０】
広告メール管理装置１の広告メール管理手段１００は，ユーザ２ａが選択した広告主すべてにおいて，負担金の合計値が月額広告予算費を超えていない場合，ユーザ２ａが選択した広告主の広告データを該ユーザ２ａに送信する広告メールに掲載するようにユーザＤＢ１０２を更新する処理を実行し（Ｓ５），この手順を終了する。
【００４１】
図８は，ユーザＤＢ１０２のレコードを説明する図である。図８で図示したレコード６ｂには，広告メールの送信を希望したユーザ２ａのユーザＩＤを記憶するカラムと，ユーザＩＤで特定されるユーザ２ａが所持する携帯電話２のメールアドレスと，該ユーザ２ａが選択した広告主の広告主ＩＤを記憶するカラムが設けられる。
【００４２】
広告メール管理装置１の広告メール管理手段１００は，図４のＳ５でユーザＤＢ１０２を更新するとき，該ユーザ２ａのユーザＩＤが記憶されたレコード６ｂが既にユーザＤＢ１０２にあるか確認し，該レコード６ｂがユーザＤＢ１０２になければ，該ユーザ２ａのユーザＩＤと，該ユーザ２ａが所持する携帯電話２のメールアドレスと，該ユーザ２ａが選択した広告主の広告主ＩＤを記憶したレコード６ｂを新規に作成し，作成したレコード６ｂをユーザＤＢ１０２に登録する処理を実行する。
【００４３】
また，広告メール管理装置１の広告メール管理手段１００は，ユーザ２ａのユーザＩＤが記憶されたレコード６ｂが既にユーザＤＢ１０２にある場合，既にあるレコード６ｂに記憶された広告主ＩＤを，今回，該ユーザ２ａが選択した広告主の広告ＩＤに書き換える処理を実行する。
【００４４】
更に，広告メール管理装置１の広告メール管理手段１００は，負担金の合計値が月額広告予算費を超えている広告主がある場合，負担金の合計値が月額広告予算費を超えた広告主の広告データを広告メールに掲載できなくなった旨を伝えるメッセージを携帯電話２に送信し（Ｓ６），再度，広告主の再生選択をユーザ２ａに促し，図４のＳ２に戻る。
【００４５】
図４で図示した手順に従い，ユーザ２ａに送信する広告メールに掲載する広告データを管理することで，負担額の合計値が月額広告予算費を超えている場合，該広告主の広告データが広告メールに掲載されないため，広告主の広告データが掲載された広告メールの送信数が想定数よりも多くなった場合でも，広告メールの広告費が広告主の月額広告予算費が超えてしまうことはなくなる。
【００４６】
ここから，広告メール管理装置１に備えられた広告メール送信手段１０１について説明する。図５は，広告メール管理装置１が広告メールを配信する手順を説明するフロー図で，広告メール管理装置１に備えられた広告メール送信手段１０１は，図５で図示した手順に従い，広告メールをユーザ２ａが所持する携帯電話２に送信する手段である。
【００４７】
図５を参照しながら，広告メール送信手段１０１の動作について説明する。図５で図示したフローは，ユーザＤＢ１０２に登録されているレコード６ｂ毎に実行されるループ処理Ｌ１で，このループ処理Ｌ１においては，まず，ループ処理Ｌ１の対象となるレコード６ｂのユーザＩＤで特定されるユーザ２ａが所持する携帯電話２に送信する広告メールに掲載する広告データの検索に利用するユーザ属性（例えば，該ユーザ２ａの食事情報）をＷｅｂサーバ３から取得する（Ｓ１０）。
【００４８】
広告メール管理装置１の広告メール送信手段１０１は，ループ処理Ｌ１の対象となるレコード６ｂに記憶されている広告主ＩＤ毎に実行されるループ処理Ｌ２で，ループ処理Ｌ２において，広告メール送信手段１０１は，広告主ＩＤで特定される広告データの中から，ユーザ属性に基づく一つの広告データを広告ＤＢ１０４から検索する（Ｓ１１）。
【００４９】
図９は，広告ＤＢ１０４のレコードを説明する図である。図９で図示したレコード６ｃは，広告メール管理装置１に登録されている広告主毎に設けられ，図９のレコード６ｃには，広告主ＩＤを記憶するカラムと，広告主ＩＤで特定される広告主の広告データのメタデータを記憶する複数のカラムとから構成される。
【００５０】
広告データの本体はハードディスク１１に記憶され，図９のレコード６ｃに記憶される広告データのメタデータには，メタデータに対応する広告データの本体が記憶されているハードディスク１１上のパスに加え，広告データの検索に利用される検索情報が含まれている。
【００５１】
例えば，栄養管理サービスの食事情報に基づく広告データを検索するとき，広告データのメタデータには，広告データに対応するメニューのカロリーや栄養素（タンパク質，脂質，塩分，ビタミン類，ミネラル類など）の量が含まれる。
【００５２】
そして，広告メール管理装置１の広告メール送信手段１０１は，広告ＤＢ１０４を参照し，広告主ＩＤで特定される広告データの中から，ユーザ属性（ここで，食事情報）に基づく広告データを広告ＤＢ１０４から検索するとき，該食事情報から得られるカロリーや栄養素の量とそれぞれの基準量を比較し，それぞれの過不足を補うメニューに対応する広告データを検索する。
【００５３】
広告メール管理装置１の広告メール送信手段１０１は，ループ処理Ｌ２が終了し，ループ処理Ｌ１の対象となるレコードのユーザＩＤで特定されるユーザ２ａに送信する広告メールに掲載する広告データを検索すると，該広告データを掲載した広告メールを生成し，該レコードのメールアドレスに対して該広告メールを送信し（Ｓ１２），ループ処理Ｌ１の先頭に戻り，ユーザＤＢ１０２に記憶されているレコードすべてについてループ処理Ｌ１を実行すると，図５の手順を終了する。
【００５４】
図１０は，広告メール送信手段１０１が携帯電話２に送信する広告メールの一例を示した図である。図１０で図示した広告メール７には，ユーザ２ａが選択した広告主の名称（図１０では，Ａ社及びＤ社）と，Ｗｅｂサーバ３で提供されているＷｅｂサービス（ここでは，栄養管理サービス）で得られるユーザ２ａのユーザ属性（ここでは，食事情報）から検索されるメニュー（ここでは，ちらし寿司など）が記述されている。
【００５５】
なお，本発明は、これまで説明した実施の形態に限定されることなく、種々の変形や変更が可能である。
【００５６】
（変形例１）
例えば，広告メール管理装置の広告メール管理手段が広告メールの送信数を広告主毎に管理するとき，負担金の合計値が月額広告予算費を超えている広告主がある場合，該広告主すべてに対して，月額広告予算費の上積みの許可を該広告主に確認し，該広告主から許可が得られた場合は，ユーザが選択した広告主の広告データを該ユーザに送信する広告メールに掲載するようにユーザＤＢ１０２を更新するようにすることもできる。
【００５７】
図１１は，月額広告予算費の上積みの許可を該広告主に確認するときのフロー図で，図１１のフロー図において，図１１のＳ２０，Ｓ２１，Ｓ２２及びＳ２３それぞれの内容は，図４のＳ１，Ｓ２，Ｓ３及びＳ４の内容と同じであるため説明を省く。
【００５８】
図１１のＳ２３において，負担金の合計値が月額広告予算費を超えている広告主がある場合，広告メール管理装置の広告メール管理手段は，該広告主すべてに対して，負担金の合計値が該広告主の月額広告予算費内に収まるように，月額広告予算費の上積みする許可を確認する通知を該広告主の所定の装置に送信する（Ｓ２５）。
【００５９】
そして，広告メール管理装置の広告メール管理手段は，負担金の合計値が月額広告予算費を超えている広告主すべてから，月額広告予算費の上積みの許可を示す情報が広告主の所定の装置から得られた確認し（Ｓ２６），該広告主すべてから，月額広告予算費の上積みの許可を示す情報が得られた場合，広告メール管理装置の広告メール管理手段は，図１１のＳ２４において，ユーザが選択した広告主の広告データを該ユーザに送信する広告メールに掲載する処理をし，この手順を終了する。
【００６０】
また，負担金の合計値が月額広告予算費を超えている広告主の少なくとも１社から，月額広告予算費の上積みの許可を示す情報が得られなかった場合，広告メール管理装置の広告メール管理手段は，負担金の合計値が月額広告予算費を超え，かつ，月額広告予算費の上積みが許可されなかった広告主の広告データを広告メールに掲載できなくなった旨を伝えるメッセージを携帯電話２に送信し，再度，広告主の再生選択を促し（Ｓ２７），図１１のＳ２１に戻る。
【００６１】
（変形例２）
また，上述した実施形態では，広告メール管理装置の広告メール管理手段から携帯電話に送信されるＷｅｂページを用いて，携帯電話を所持するユーザに広告主を選択させるようにしていたが，栄養管理サービスなどを運営しているＷｅｂサーバが該Ｗｅｂページを携帯電話に送信し，ユーザが選択した広告主が示される選択情報を取得し，広告メール管理装置に選択情報を引き渡すようにすることもできる。
【００６２】
加えて，広告メール管理装置の広告メール管理手段から携帯電話に送信されるＷｅｂページを利用して，広告メール管理装置の広告メール管理手段は，ユーザのユーザＩＤや携帯電話のメールアドレスを取得するようにすることもできる。
【図面の簡単な説明】
【００６３】
【図１】広告メール管理装置が配置されたシステムの構成を示した図。
【図２】広告メール管理装置のハードウェアブロック図。
【図３】広告メール管理装置の機能ブロック図。
【図４】広告メールの送信を管理する手順を説明するフロー図。
【図５】広告メールを送信する手順を説明するフロー図。
【図６】広告メール管理手段が携帯電話に送信するＷｅｂページの一例を示した図。
【図７】広告予算費ＤＢのレコードを説明する図。
【図８】ユーザＤＢのレコードを説明する図。
【図９】広告ＤＢのレコードを説明する図。
【図１０】広告メールの一例を示した図。
【図１１】月額広告予算費の上積みの許可を該広告主に確認するときのフロー図。
【符号の説明】
【００６４】
１  広告メール管理装置
１００  広告メール管理手段
１０１  広告メール送信手段
１０２  ユーザＤＢ
１０３  広告予算費ＤＢ
１０４  広告ＤＢ
【図１】
2010176468.tif 000003
【図２】
2010176468.tif 000004
【図３】
2010176468.tif 000005
【図４】
2010176468.tif 000006
【図５】
2010176468.tif 000007
【図６】
2010176468.tif 000008
【図７】
2010176468.tif 000009
【図８】
2010176468.tif 000010
【図９】
2010176468.tif 000011
【図１０】
2010176468.tif 000012
【図１１】
2010176468.tif 000013